(57)【要約】【課題】針金等の長尺物の端部を自動的に保持でき、長尺物の緩みや、もつれを防止する長尺物繰り出し装置を提供する。【解決手段】支持部材２に巻芯保持部３と端部保持部材４を取り付けてなり、巻芯５に巻回された長尺物Ｌを繰り出すための長尺物繰り出し装置であって、端部保持部材４は長尺物Ｌが挿通される係止孔４ａを有することを特徴とする。【選択図】図１５
2007320672.tif 000002
【特許請求の範囲】
【請求項１】
支持部材に巻芯保持部と端部保持部材を取り付けてなり、巻芯に巻回された長尺物を巻芯保持部に回転自在に保持して繰り出すための装置であって、端部保持部材は長尺物が挿通される係止孔を有することを特徴とする長尺物繰り出し装置。
【請求項２】
端部保持部材が支持部材に揺動自在に軸支されていることを特徴とする請求項１に記載の長尺物繰り出し装置。
【請求項３】
端部保持部材が重心より上方で支持部材に揺動自在に軸支されていることを特徴とする請求項２に記載の長尺物繰り出し装置。
【請求項４】
端部保持部材が基部と蓋部からなり、基部と蓋部に囲まれた空間が係止孔を形成していることを特徴とする請求項１乃至請求項３のいずれかに記載の長尺物繰り出し装置。
【請求項５】
基部及び／又は蓋部が磁性材料からなることを特徴とする請求項４に記載の長尺物繰り出し装置。
【請求項６】
基部及び蓋部の各内側面に面接合ファスナーが貼着されていることを特徴とする請求項４に記載の長尺物繰り出し装置。
【請求項７】
端部保持部材と支持部材が弾性部材により連結されていることを特徴とする請求項２乃至請求項６に記載の長尺物繰り出し装置。
【発明の詳細な説明】
【技術分野】
【０００１】
本発明は針金、紐、テープ、フィルム等の長尺物が巻回されたロール製品から該長尺物を引き出すための装置に関し、特に長尺物の端部を容易に保持でき、長尺物の緩みによる損傷や、長尺物が線材等の場合のもつれを防止し得る長尺物繰り出し装置に関するものである。
【背景技術】
【０００２】
従来、針金、紐、テープ、フィルム等の長尺物は、中芯の周りに巻回されたロール製品として使用に供されている。
しかしながら、例えば、針金を例に採ると、所定長繰り出して切断して使用されるが、使用後は端部が後退逆行して巻きが緩んで地面や他の物と接触して汚れたり損傷したりするという問題があり、また針金がもつれ、これをほぐすのに手間が掛かり生産性が大巾に低下することになる。更に、ほぐす際に、折れ曲がったり、歪みが残り、外観を低下させるばかりでなく、次の使用の際に支障を来す場合もある。
【０００３】
このような問題を解決するために、鋼線材がコイル状に巻回積層される線材コイルの鋼線材にリング状の重錘体を１個又は２個以上遊挿し、該鋼線材を上取り式に引き出す際に前記重錘体の重みで該鋼線材の２巻目以降の持ち上がりが阻止されるようにしたことを特徴とする線材コイルの上取り式給材方法が提案され（例えば、特許文献１参照）、また、線材をコイル状に巻いてなるコイル状塊から引出される引出し線との接触の際に上方へ運動し、引出し線との隔離時に下方へ運動して線材のからみが防止されるようにコイル状塊の上方に配設されたアームを有する複数の線材押さえ部材からなることを特徴とする線材からみ防止装置が提案されている（例えば、特許文献２参照）。
【０００４】
しかしながら、これらはいずれも大掛かりなもので、高コストとなるばかりでなく、狭小な作業現場での使用や家庭での小規模の使用には適していない。
【特許文献１】特開２０００−１９００２４号公報
【特許文献２】特開平９−１７５７３４号公報
【発明の開示】
【発明が解決しようとする課題】
【０００５】
本発明は上記従来技術の問題点を解決したもので、長尺物の端部が切断され使用された後に後退逆行して巻きが緩んで汚染や損傷したり、また、もつれが生じこれをほぐすのに手間がかかり生産性を低下させたりするのを防止した長尺物繰り出し装置を提供することを目的とする。
【課題を解決するための手段】
【０００６】
上記課題を解決するための請求項１に係る本発明は、支持部材に巻芯保持部と端部保持部材を取り付けてなり、巻芯に巻回された長尺物を巻芯保持部に回転自在に保持して繰り出すための装置であって、端部保持部材は長尺物が挿通される係止孔を有することを特徴とする長尺物繰り出し装置を内容とする。
【０００７】
請求項２に係る発明は、端部保持部材が支持部材に揺動自在に軸支されていることを特徴とする請求項１に記載の長尺物繰り出し装置を内容とする。
【０００８】
請求項３に係る発明は、端部保持部材が重心より上方で支持部材に揺動自在に軸支されていることを特徴とする請求項２に記載の長尺物繰り出し装置を内容とする。
【０００９】
請求項４に係る発明は、端部保持部材が基部と蓋部からなり、基部と蓋部に囲まれた空間が係止孔を形成していることを特徴とする請求項１乃至請求項３のいずれかに記載の長尺物繰り出し装置を内容とする。
【００１０】
請求項５に係る発明は、基部及び／又は蓋部が磁性材料からなることを特徴とする請求項４に記載の長尺物繰り出し装置を内容とする。
【００１１】
請求項６に係る発明は、基部及び蓋部の各内側面に面接合ファスナーが貼着されていることを特徴とする請求項４に記載の長尺物繰り出し装置を内容とする。
【００１２】
請求項７に係る発明は、端部保持部材と支持部材が弾性部材により連結されていることを特徴とする請求項２乃至請求項６に記載の長尺物繰り出し装置を内容とする。
【発明の効果】
【００１３】
本発明の長尺物繰り出し装置は、長尺物が挿通される係止孔を有する端部保持部材を設けたため、その係止孔の内壁と長尺物の間の摩擦力により長尺物の端部が係止孔内に保持され、端部が後退逆行して巻きが緩んで汚染したり損傷したり、更に、もつれたりすることが防止される利点がある。
【００１４】
請求項２に係る発明の長尺物繰り出し装置は端部保持部材が支持部材に揺動自在に軸支されているため、巻芯に巻回された長尺物の多少にかかわらず、係止孔の開口方向と長尺物の走行方向を容易に一致させることができ、摩擦力が減少して長尺物を繰り出しやすく、また、上方、下方、横方向等所望の繰り出し方向とすることができるという利点がある。
【００１５】
請求項３に係る発明の長尺物繰り出し装置は端部保持部材が重心より上方で支持部材に揺動自在に軸支されているため、上記請求項２と同じ利点の他に、長尺物を繰り出していないとき端部保持部材は自重により垂れ下がり、長尺物の走行方向と係止孔の開口方向との間に傾きが生じて摩擦力が増大し、自動的に長尺物の端部が保持され、端部が後退逆行して巻きが緩んだり、もつれたりするトラブルが防止されるという利点がある。
【００１６】
請求項４に係る発明の長尺物繰り出し装置は端部保持部材が基部と蓋部からなるため、蓋部と蓋部との間に形成された係止孔に容易に長尺物を挿通（挟み込む場合を含む）することができ、また、長尺物を係止孔から容易に離脱することができるという利点がある。
【００１７】
請求項５に係る発明の長尺物繰り出し装置は基部及び／又は蓋部が磁性材料からなるため、磁性材料の吸引力を利用して、蓋部と基部間に形成される係止孔への長尺物の挿通又は離脱を容易に行うことができるという利点がある。
【００１８】
請求項６に係る発明の長尺物繰り出し装置は基部及び蓋部の各内側面に面接合ファスナーが貼着されているため、上記請求項５と同様、係止孔への長尺物の挿通又は離脱が容易であるという利点がある。
【００１９】
請求項７に係る発明の長尺物繰り出し装置は端部保持部材と支持部材が弾性部材により連結されているため、端部保持部材は弾性部材の張力又は収縮力により回動する。従って、長尺物の走行方向と係止孔の開口方向の間に傾きを生じさせることにより摩擦力を増大して自動的に長尺物の端部を保持させたり、一方、長尺物を繰り出す際には、摩擦力を減じさせ繰り出し易くなる所望の方向とすることができるという利点がある。
【発明を実施するための最良の形態】
【００２０】
次に、本発明の長尺物繰り出し装置を図面に基づいて説明する。
なお、図１は実施例１の側面図、図２はその正面図、図３はこれを剛性に富む長尺物に対して使用した場合の説明図、図４は可撓性に富む長尺物に対して使用した場合の説明図である。
図５は実施例２の正面図である。
図６は実施例３における端部保持部材の拡大図、図７及び図８はその使用説明図である。
図９は実施例４における端部保持部材の拡大図、図１０はその使用説明図である。
図１１は実施例５における端部保持部材の拡大図、図１２は実施例６における端部保持部材の拡大図、図１３は実施例７における基部の拡大図、図１４は実施例８における端部保持部材の拡大図である。
図１５は実施例９の一部切除側面図、図１６はその正面図、図１７は端部保持部材の拡大図である。
また、図中、１は本発明の長尺物繰り出し装置を、２は支持部材を、２ａは把持部を、３は巻芯を、３ａはフランジを、４は端部保持部材を、４ａは係止孔を、４ｂは基部を、４ｃは蓋部を、４ｄは面接合ファスナーを、４ｅは回転軸を、４ｆは弾性部材を、４ｇは回転軸孔を、５は巻芯を、６はフランジを、７は溝を、８は隙間を、９は舌片を、１０は凹部を、Ｌは長尺物をそれぞれ表す。
【００２１】
本発明は、図１に示す如く、巻芯５に巻回された長尺物Ｌを繰り出すための長尺物繰り出し装置１であり、支持部材２に巻芯保持部３と端部保持部材４を取り付けたことを特徴とするものである。
【００２２】
支持部材２は巻芯保持部３と端部保持部材４を支持する部材である。形状は巻芯保持部３と端部保持部材４を支持できる限り特に限定されないが、図１、図２等で示すような断面Ｌ字型の板状部材や、図１５、図１６で示す２枚の平板の間に棒状部材を介在させたものが例示できる。また、持ち運びやすさを考慮して例えば図１５、図１６に示すような把持部２ａを取り付けてもよい。
【００２３】
その材質も特に制限されないが、造形性（成形性）、耐久性の面からプラスチック製、金属製が好ましいが、木製等であってもよい。
本発明に用いられるプラスチックとしては特に制限されないが、ポリエチレン、ポリプロピレン等のポリオレフィン樹脂、ポリスチロール樹脂、塩化ビニル樹脂、ポリアミド樹脂、ポリエステル樹脂、ＡＢＳ樹脂、ＡＳ樹脂等が挙げられる。また、巻芯３に巻回される長尺物Ｌが針金等の重量物である場合は、強化材としてグラスファイバー、炭素繊維などを使用した繊維強化プラスチック等も利用できる。
本発明に用いられる金属としては特に制限されないが、鉄、銅、アルミ、ステンレス等が挙げられる。
【００２４】
巻芯保持部３は巻芯５に巻回された長尺物Ｌを回転自在に保持するためのものである。また、６は長尺物Ｌが端部から外れるのを防ぐためフランジである。
巻芯保持部３の材質も特に限定されず、上記した支持部材２の材質と同様のものが例示できる。
【００２５】
端部保持部材４には係止孔４ａが設けられており、ここに長尺物Ｌを挿通するようになっている。この場合、長尺物Ｌと係止孔４ａの間に摩擦力が生じ、長尺物Ｌの端部が保持されるように配慮するのが好ましい。。この作用は長尺物Ｌが針金等の若干剛性を有する物質である場合に特に有効に働く。
例えば、図３に示すように、長尺物Ｌの巻きぐせを利用して元の巻き径に戻ろうとする性質を利用して、長尺物Ｌの端部が係止孔４ａから後退離脱しないようにすることが好ましい。
【００２６】
また、長尺物Ｌが絹糸等のように可撓性に富む物質である場合は、例えば、図４に示すように、係止孔４ａの前端からこの長尺物Ｌを垂らすと、その重さ分だけ摩擦力が増大し、長尺物Ｌの端部の後退離脱が防止される。
【００２７】
係止孔４ａのサイズは特に限定されないが、通常、長尺物Ｌが通過するサイズとすればよい。係止孔４ａの幅は勿論長尺物Ｌの幅としてもよいが、例えば、幅の小さい針金や紐状物であっても、図２に示すように、巻芯５の幅と同程度としてもよいし、また、図５に示すように、これらが一本通る程度の幅としてもよい。
【００２８】
端部保持部材４は、図６に示す通り、揺動自在に支持部材２に軸支することができる。この場合、巻芯５に巻回された長尺物Ｌが多いとき（図７参照）でも、少ないとき（図８参照）でも係止孔４ａの開口方向と長尺物Ｌの走行方向が一致するように端部保持部材４の向きを変えることができ、よりスムースに長尺物Ｌを繰り出すことができる。
【００２９】
さらに端部保持部材４は、図９に示すように、重心より上方で軸支するのも好ましい態様である。この場合、係止孔４ａに長尺物Ｌが挿通されていない状態では回転軸４ｅで支持部材２からぶら下がった状態となり、また、長尺物Ｌが挿通されているが繰り出されていない状態では、やや斜め方向（長尺物側の）に懸垂した状態となる。また長尺物Ｌを挿通してこれを繰り出している場合には図７、図８の場合と同様に、係止孔４ａの開口方向と長尺物Ｌの走行方向が一致し、スムースに長尺物Ｌを繰り出すことができる。
【００３０】
この端部保持部材４により長尺物Ｌの端部を保持する場合、長尺物Ｌが針金等のように、適度の剛性を有する物質であれば、単に係止孔４ａの出口付近で長尺物Ｌを切断するのみでよく、ほとんど手間がかからない。
このようにした場合、図１０に示すように、端部保持部材４はぶら下がる方向に回動するが係止孔４ａに挿通された長尺物Ｌに支えられて途中で止まる。長尺物Ｌは端部保持部材４の後端で押さえられて屈曲し弾性エネルギーを蓄えることになるが、この弾性エネルギーにより長尺物Ｌの端部が係止孔４ａの内壁下面に押し付けられる。この押圧により大きな摩擦力が発生するため長尺物Ｌの端部が保持され、後退することは防止されるのである。
【００３１】
なお、長尺物Ｌが紐のように、剛性を有しない柔軟な物質である場合は、係止孔４ａの出口付近で長尺物Ｌを切断するのではなく、少々余裕を持たせ出口付近から少し離れた箇所で長尺物Ｌを切断し、図４に示した方法と同様に、端部を端部保持部材４の前側から垂らせばよい。
【００３２】
端部保持部材４は基部４ｂと蓋部４ｃに分離できるようにしてもよい。この場合、基部４ｂと蓋部４ｃに囲まれた空間が係止孔４ａとなるようにする。このようにすると蓋部４ｃを基部４ｂから取り外して、長尺物Ｌを基部４ｂ又は蓋部４ｃの表面にあてがい、又は溝の中に長尺物Ｌを入れてから蓋部４ｃを基部４ｂに取り付けるようにするだけで係止孔４ａに長尺物Ｌを挿通した状態になる。即ち、小さな孔に細い長尺物Ｌを通すような細かい作業をする必要がなくなり、万一、長尺物Ｌが係止孔４ａから後退逆行した場合でも容易に挿通させることができる。
【００３３】
具体的には溝を設けた基部４ｂに蓋部４ｃを開閉自在に取り付けることができる（図１１参照）。この場合は、蓋部４ｃを開いた状態で溝７に長尺物Ｌを入れ、蓋部４ｃを閉じることにより蓋部４ｃの裏面と溝７とで係止孔４ａが形成される。また、基部４ｂ及び／又は蓋部４ｃを磁性材料で作成し基部４ｂに溝７を設けてもよく（図１２参照）、この場合は磁性材料の吸着作用を利用して蓋部４ｃを容易に基部４ｂと結合し、又は分離することができるという利点がある。さらに基部４ｂ及び蓋部４ｃの各内側面に面接合ファスナー４ｄを貼着するようにしてもよく、この場合も外した蓋部を容易に基部と結合させることができるという利点がある（図１３参照）。ここで、面接合ファスナー４ｄとは基布に接合用ループを設けた雌面と、基布に結合用フックを設けた雄面を接触させることにより、該ループに該フックを引っ掛けて雄面と雌面を接合させる布状部材が代表的であるが、特にこれに限られない。
【００３４】
なお面接合ファスナー４ｄを採用する場合、面接合ファスナー４ｄ自体が厚みを有するためこれを利用して係止孔４ａを形成することができる。即ち、通常の板状部材に２枚の面接合ファスナー４ｄを所定の間隔をあけて貼着するだけで基部４ｂ又は蓋部４ｃを作成でき、両者の面接合ファスナー面を接合することにより係止孔４ａを形成することができる（図１３参照）。同図右側に示したものを２枚接合すれば、幅の小さい係止孔が形成され、左側に示したものを２枚接合すれば幅の大きい係止孔が形成けされる。
【００３５】
端部保持部材４は、図１４に示す通り、支持部材２と弾性部材４ｆで連結させることもできる。このようにすると端部保持部材４は弾性部材４ｆの伸長力又は収縮力により回動することになる。図示した例においては、長尺物Ｌを繰り出していないときには、上記した図１０の場合と同様、長尺物Ｌの端部が係止孔４ａの内壁に押し付けられることになり、摩擦力が生じて長尺物Ｌの端部が保持される。長尺物Ｌを繰り出すときは、実線で示したように、弾性部材４ｆを伸張させ、摩擦力を減じる方向に端部保持部材４を回動させ、長尺物Ｌを繰り出すことができる。弾性部材としては、スプリング、コイルバネ、板バネ、ゴム等が挙げられる。
【００３６】
端部保持部材４の材質も特に限定されず、上記した支持部材２や巻芯保持部３の材質と同様のものが例示できる。
ただし、図９、図１０で示したような端部保持部材４の上方に回転軸４ｅを設け、自重で剛性を有する長尺物Ｌ（金属線など）を押さえるような場合は、金属線の径にもよるが、端部保持部材４も重さの大きい金属製とするほうが適当な場合が多い。
なお、プラスチックなどを使用し、自重が足りないような場合でも、図１４で示したような弾性部材４ｆで補うことができる。
【実施例】
【００３７】
以下、実施例を挙げて本発明を更に説明するが、本発明はかかる実施例のみに制限されないことは云うまでもない。
【００３８】
実施例１
図１及び図２に本発明の長尺物繰り出し装置１の実施例１を示す。実施例１は断面Ｌ字形のステンレス板を支持部材２とし、その中央付近に巻芯保持部３が設けられ、前側上方に端部保持部材４が取付けられている。そして端部保持部材４には幅広の係止孔４ａが設けられている。Ｌは長尺物で、両側にフランジ６を備えた巻芯５に巻回されている。
【００３９】
この長尺物繰り出し装置１は紙テープ、布テープ、紐、金属線等、多様な長尺物Ｌに対して用いることができるが、金属線等、長尺物Ｌが剛性を有する場合に最も好適に使用できる。
この長尺物繰り出し装置１を使用して長尺物Ｌの端部を保持するには、例えば図３及び図４に示したとおりである。
【００４０】
実施例２
図５に本発明の実施例２を示す。実施例２は実施例１における端部保持部材４を小さくし、係止孔４ａを細長い孔とした例である。実施例２は長尺物Ｌが紐や金属線など線状部材である場合に適した例である。この例では実施例１とは異なり線状の長尺物Ｌが横にずれたりせず、一定の場所から繰り出されるため使いやすいという効果がある。
【００４１】
実施例３
図６に実施例３における端部保持部材４を示す。この実施例３は実施例１の端部保持部材４を揺動自在に軸支したものである。これを使用すると、巻芯５に巻回された長尺物Ｌが減少するに従って端部保持部材４が回動し（図７、図８参照）、係止孔４ａの開口方向が長尺物Ｌの走行方向が一致するため摩擦力が増大しない。そのため長尺物Ｌを繰り出しやすいという効果がある。また、上向き、下向き等、繰り出し方向を所望の方向に自在に調節することも可能である。
【００４２】
実施例４
図９に実施例４における端部保持部材４を示す。この実施例４は実施例３の回転軸４ｅを端部保持部材４の重心より上方に設けたものである。この実施例４から長尺物Ｌを繰り出すときは、実施例３と同様、巻芯５に巻回された長尺物Ｌが減少するに従って端部保持部材４が回動し、摩擦力が増大しない。また、実施例３と同様、繰り出し方向を自在に調節することができる。
【００４３】
この実施例４は長尺物Ｌが剛性を有する場合に最も好適に使用することができる。必要な長さを繰り出した後で長尺物Ｌを切断すると、端部保持部材４は自重により垂れ下がり、長尺物Ｌの端部に支えられる（図１０参照）が、これにより長尺物Ｌは屈曲し、これに弾性エネルギーが蓄えられる。この弾性エネルギーにより長尺物Ｌの端部が係止孔４ａの内壁に押し付けられ、摩擦力が増大するため長尺物Ｌの端部が好適に支持される。つまり、長尺物繰り出し装置１の使用者は単に長尺物Ｌの端部を切断するだけで、自動的に長尺物Ｌの端部が保持されるという効果がある。
【００４４】
実施例５
図１１に実施例５における端部保持部材４を示す。この実施例５は実施例１の端部保持部材４を基部４ｂと蓋部４ｃからなるようにし、基部４ｂに溝７を設けて、蓋部４ｃを基部４ｂに開閉自在に取り付けた例である。この例において蓋部４ｃを閉めた状態にすると、蓋部４ｃの裏面と基部４ｂに設けた溝７との間に係止孔４ａが形成され、長尺物Ｌを挿通することができる。
【００４５】
これを使用するには、蓋部４ｃが開いた状態で長尺物Ｌの端部を基部４ｂの溝の中に入れ、その状態で蓋部４ｃを閉める。これにより長尺物Ｌが係止孔４ａに挿通された状態になる。すなわち、小さな孔に細い長尺物Ｌを通すような細かい作業をする必要がなくなるという効果がある。
【００４６】
実施例６
図１２に実施例６における端部保持部材４を示す。この実施例６は実施例１の端部保持部材４を磁性材料により作成し、かつ基部４ｂと蓋部４ｃからなるようにし、基部４ｂに溝７を設けた例である。この例においては、磁性吸引力により蓋部４ｃを基部４ｂにくっ着けた状態にすると基部４ｂに設けた溝７と蓋部４ｃの裏面とで係止孔４ａが形成され、長尺物Ｌを挿通できるようになる。
【００４７】
これを使用するには、蓋部４ｃを取り外した状態で長尺物Ｌの端部を基部４ｂの溝の中に入れ、その状態で蓋部４ｃをくっ着けるようにする。これにより長尺物Ｌが係止孔４ａに挿通された状態になる。
この例では磁性吸引力により基部４ｂと蓋部４ｃを結合させることができるので、蓋部４ｃの着脱が容易であるという効果がある。
【００４８】
実施例７
図１３に実施例７及びその変更例における基部４ｂを示す。この実施例７は実施例１の端部保持部材４を基部４ｂと蓋部４ｃからなるものにし、基部４ｂに２枚の面接合ファスナー４ｄ（例えば雌面）を貼着した例である。なお、図示していないが、蓋部４ｃの対応する位置にも面接合ファスナー４ｄ（例えば雄面）を貼着している。
【００４９】
実施例７では基部４ｂには面接合ファスナー４ｄは狭い隙間８を開けて貼着されている（図１３の左側参照）。従って、この例において蓋部４ｃを基部４ｂにくっ着けた状態にすると面接合ファスナー４ｄの隙間８が係止孔４ａとなり、金属線などの細長い長尺物Ｌに対して好適に使用できる端部保持部材４となる。
【００５０】
またその変更例（図１３の右側参照）では基部４ｂに２枚の面接合ファスナー４ｄを広い隙間８をあけて貼着している。これに蓋部４ｃをくっ着けると紙テープなどの幅広の長尺物Ｌに対して好適に使用できる端部保持部材４になる。
【００５１】
これを使用するには、蓋部４ｃを取り外した状態で長尺物Ｌの端部を貼着された２枚の面接合ファスナー４ｄの隙間８に入れ、その状態で蓋部４ｃをくっ着けるようにする。これにより長尺物Ｌが係止孔４ａに挿通された状態になる。
この例では面接合ファスナー４ｄにより基部４ｂと蓋部４ｃを結合又は分離させることができるので、蓋部４ｃの着脱が容易であるという効果がある。
【００５２】
実施例８
図１４に実施例８における端部保持部材４を示す。この実施例８は実施例３の支持部材２に弾性部材４ｆ取付用の舌片９を設け、これと端部保持部材４を弾性部材４ｆ（図ではばね）で連結したものである。この実施例８から長尺物Ｌを繰り出すときは、実施例３と同様、巻芯５に巻回された長尺物Ｌが減少するに従って端部保持部材４の開口方向が長尺物Ｌの走行方向に一致するように回動し、摩擦力が増大しない。
【００５３】
この実施例８は、実施例４と同様、長尺物Ｌが剛性を有する場合に最も好適に使用することができる。即ち、弾性部材４ｆを伸長させた状態で必要な長さを繰り出した後で長尺物Ｌを切断すると、端部保持部材４は弾性部材４ｆの収縮により回動して破線で示した状態となり、実施例４（図１０）の場合と同様に長尺物Ｌの端部に支えられるが、これにより長尺物Ｌは屈曲し、弾性エネルギーが蓄えられる。この弾性エネルギーにより長尺物Ｌの端部が係止孔４ａの内壁に押し付けられ、摩擦力が増大するため長尺物Ｌの端部が好適に支持される。つまり、長尺物繰り出し装置１の使用者は単に長尺物Ｌの端部を切断するだけで、自動的に長尺物Ｌの端部が保持されるという効果がある。
【００５４】
実施例９
図１５乃至図１７に実施例９の長尺物繰り出し装置１を示す。この実施例９は平行に並べた２枚の板の間の四角に棒状連結部材１１を介在させてなる支持部材２に、巻芯保持部３と、基部４ｂと蓋部４ｃからなり各内面側に面接合ファスナー４ｄが貼着されている端部保持部材４を取り付けた例である。支持部材２の上側中央には棒状部材からなる把持部２ａが架設されており、これを把持して長尺物繰り出し装置１を持ち運びすることができる。
ここで端部保持部材４は重心より上方で揺動自在に軸支されている。従って図１０に示した実施例４と同様、長尺物Ｌが剛性を有する場合には、単に係止孔４ａの前側でこれを切断するだけでその端部を保持することができる。
【００５５】
また面接合ファスナー４ｄは、実施例７とは異なり、基部４ｂと蓋部４ｃにそれぞれ１枚だけ貼着されている。この面接合ファスナー４ｄは、それぞれ中央部に結合用ループ及び結合用フックを植生していない基布からなる帯状の凹部１０を有するが、基部４ｂと蓋部４ｃを接合すると、凹部１０同士が向かい合って係止孔４ａを形成する（図１７参照）。
この凹部１０からなる係止孔４ａは基布とファスナーとで囲まれているため、長尺物が保護され、表面に傷が付いたりするトラブルを防ぐことができる。
【産業上の利用可能性】
【００５６】
上記したとおり、本発明の長尺物繰り出し装置は端部保持部材に長尺物が挿通される係止孔を設けることにより、長尺物の端部を容易に保持することができるので、長尺物が緩み後退逆行することにより長尺物が汚れたり、損傷するといったトラブルが防止され、また、線材等の長尺物のもつれを防止することができるものであり、極めて有用性の高いものである。
【図面の簡単な説明】
【００５７】
【図１】実施例１の側面図である。
【図２】実施例１の正面図である。
【図３】実施例１を剛性に富む長尺物に対して使用した場合の説明図である。
【図４】実施例１を可撓性に富む長尺物に対して使用した場合の説明図である。
【図５】実施例２の正面図である。
【図６】実施例３における端部保持部材の拡大図である。
【図７】実施例３の使用説明図である。
【図８】実施例３の使用説明図である。
【図９】実施例４における端部保持部材の拡大図である。
【図１０】実施例４における端部保持部材の拡大図である。
【図１１】実施例５における端部保持部材の拡大図である。
【図１２】実施例６における基部の拡大図である。
【図１３】実施例７における端部保持部材の拡大図である。
【図１４】実施例８の使用説明図である。
【図１５】実施例９の一部切除側面図である。
【図１６】実施例９の正面図である。
【図１７】実施例９における端部保持部材の拡大図である。
【符号の説明】
【００５８】
１  長尺物繰り出し装置
２  支持部材
２ａ  把持部
３  巻芯保持部
４  端部保持部材
４ａ  係止孔
４ｂ  基部
４ｃ  蓋部
４ｄ  面接合ファスナー
４ｅ  回転軸
４ｆ  弾性部材
４ｇ  回転軸孔
５  巻芯
６  フランジ
７  溝
８  隙間
９  舌片
１０  凹部
１１  棒状連結部材
Ｌ  長尺物
【図１】
2007320672.tif 000003
【図２】
2007320672.tif 000004
【図３】
2007320672.tif 000005
【図４】
2007320672.tif 000006
【図５】
2007320672.tif 000007
【図６】
2007320672.tif 000008
【図７】
2007320672.tif 000009
【図８】
2007320672.tif 000010
【図９】
2007320672.tif 000011
【図１０】
2007320672.tif 000012
【図１１】
2007320672.tif 000013
【図１２】
2007320672.tif 000014
【図１３】
2007320672.tif 000015
【図１４】
2007320672.tif 000016
【図１５】
2007320672.tif 000017
【図１６】
2007320672.tif 000018
【図１７】
2007320672.tif 000019